(57)【要約】【課題】この発明は、スリ−プモ−ドから抜けた後に印字動作が始まるまでに時間がかかってしまい、早く印字作業を行えないという課題を解決しようとするものである。【解決手段】この発明は、インクジェット記録部のリフレッシュ動作から低消費電力状態が解除されるまでの第３経過時間を計測する第３計時手段７を備え、低消費電力状態解除後の前記リフレッシュ動作が前記第３経過時間の長さによって異なるものである。【選択図】  図１
2005028720.tif 000002
【特許請求の範囲】
【請求項１】
インク滴を吐出して記録を行う複数のノズルを有するインクジェット記録部と、当該装置がスタンバイ状態に移行してからの経過時間を計測する第１計時手段と、この第１計時手段が予め設定された第１経過時間を計測したときに当該装置を低消費電力状態へ移行させる手段と、当該装置が低消費電力状態になってからの経過時間を計測する第２計時手段と、この第２計時手段が予め設定された第２経過時間を計測する毎に前記インクジェット記録部をリフレッシュさせるリフレッシュ動作を実行する手段と、低消費電力状態の解除要求を検出して当該装置の低消費電力状態を解除する手段とを備え、前記低消費電力状態解除後の前記リフレッシュ動作を簡略化し、前記低消費電力状態の解除後短時間で記録可能な状態にする画像形成装置であって、前記リフレッシュ動作から前記低消費電力状態が解除されるまでの第３経過時間を計測する第３計時手段を備え、前記低消費電力状態解除後の前記リフレッシュ動作が前記第３経過時間の長さによって異なることを特徴とする画像形成装置。
【請求項２】
請求項１に記載の画像形成装置において、前記低消費電力状態時に予め設定された前記第２経過時間毎に前記リフレッシュ動作を行うか否かを操作者に選択させる手段を有することを特徴とする画像形成装置。
【請求項３】
請求項２に記載の画像形成装置において、前記低消費電力状態時に予め設定された前記第２経過時間毎に前記リフレッシュ動作を行うか否かを操作者に時間帯によって設定させる手段を有することを特徴とする画像形成装置。
【請求項４】
請求項１に記載の画像形成装置において、前記第２経過時間の長さを操作者に設定させる手段を有することを特徴とする画像形成装置。
【請求項５】
請求項４に記載の画像形成装置において、前記第２経過時間の長さの設定を時間帯によって変える手段を有することを特徴とする画像形成装置。
【請求項６】
請求項２〜５のいずれか１項に記載の画像形成装置において、低消費電力状態時の前記リフレッシュ動作に関する設定が不特定多数の人によって行われることを防ぐ手段を有することを特徴とする記載の画像形成装置。
【請求項７】
請求項６に記載の画像形成装置において、操作者により予め登録された暗証番号によって操作者を特定し、前記低消費電力状態時の前記リフレッシュ動作に関する設定を許可する手段を有することを特徴とする画像形成装置。
【請求項８】
請求項１〜７のいずれか１項に記載の画像形成装置において、当該装置に情報処理端末を接続する手段を備え、前記低消費電力状態時の前記リフレッシュ動作に関する設定を、当該装置に接続された情報処理端末から行えることを特徴とする画像形成装置。
【請求項９】
請求項１〜７のいずれか１項に記載の画像形成装置において、当該装置をネットワ−クに接続する手段を備え、前記低消費電力状態時の前記リフレッシュ動作に関する設定を、前記ネットワ−クに接続された情報処理端末から行えることを特徴とする画像形成装置。
【請求項１０】
請求項１〜７のいずれか１項に記載の画像形成装置において、当該装置を電話回線に接続する手段を備え、前記低消費電力状態時の前記リフレッシュ動作に関する設定を、前記電話回線に接続された電話端末から行えることを特徴とする画像形成装置。
【請求項１１】
請求項１〜７のいずれか１項に記載の画像形成装置において、当該装置と無線通信を行うためのインターフェース手段を備え、前記低消費電力状態時の前記リフレッシュ動作に関する設定を、無線通信手段により行えることを特徴とする画像形成装置。
【請求項１２】
請求項１に記載の画像形成装置において、前記低消費電力状態時に前記リフレッシュ動作を行う際、前記リフレッシュ動作を開始する旨を表示する手段を有することを特徴とする画像形成装置。
【請求項１３】
請求項１に記載の画像形成装置において、低消費電力状態時に前記リフレッシュ動作を行う際、前記リフレッシュ動作を開始する旨を音声で出力する手段を有することを特徴とする画像形成装置。
【請求項１４】
請求項１に記載の画像形成装置において、前記低消費電力状態時に、前記リフレッシュ動作を行った後、再度前記低消費電力状態に戻る際、再度前記低消費電力状態になることを表示する手段を有することを特徴とする画像形成装置。
【請求項１５】
請求項１に記載の画像形成装置において、前記低消費電力状態時に、前記リフレッシュ動作を行った後、再度前記低消費電力状態に戻る際、再度前記低消費電力状態になることを音声で出力する手段を有することを特徴とする画像形成装置。
【請求項１６】
請求項１に記載の画像形成装置において、前記低消費電力状態時に、前記リフレッシュ動作を行った後、再度前記低消費電力状態に戻る際、この後前記低消費電力状態が続いた場合に前記リフレッシュ動作が実施される次回の予定時刻を表示する手段を有することを特徴とする画像形成装置。
【請求項１７】
請求項１に記載の画像形成装置において、前記低消費電力状態時に、前記リフレッシュ動作を行った後、再度前記低消費電力状態に戻る際、この後前記低消費電力状態が続いた場合に前記リフレッシュ動作が実施される次回の予定時刻を音声で出力する手段を有することを特徴とする画像形成装置。
【請求項１８】
請求項１に記載の画像形成装置において、周囲の明るさを検出する検出手段と、前記低消費電力状態時に予め設定された前記第２経過時間毎に前記リフレッシュ動作を行うか否かを、前記検出手段で検出した周囲の明るさによって自動的に決定する手段とを有することを特徴とする画像形成装置。
【請求項１９】
請求項１に記載の画像形成装置において、周囲の音量を検出する検出手段と、前記低消費電力状態時に予め設定された前記第２経過時間毎に前記リフレッシュ動作を行うか否かを、前記検出手段で検出した周囲の音量によって自動的に決定する手段とを有することを特徴とする画像形成装置。
【請求項２０】
インク滴を吐出して記録を行う複数のノズルを有するインクジェット記録部と、電源オン時に前記インクジェット記録部をリフレッシュさせるリフレッシュ動作を行う手段とを備えた画像形成装置であって、記録動作または前記リフレッシュ動作から電源オフ状態になるまでの経過時間を計測する第４計時手段と、電源オフ状態になってからの経過時間を計測する第５計時手段とを備え、前記第４計時手段が計測した第４経過時間と前記第５計時手段が計測した第５経過時間との合計時間によって電源オンによる再起動時の前記リフレッシュ動作が異なることを特徴とする画像形成装置。
【請求項２１】
請求項１または２０に記載の画像形成装置において、当該装置が低消費電力状態から復帰した後の、前記第３計時手段が計測した前記第３経過時間に対応した前記リフレッシュ動作と、電源オンによる再起動時の前記第４経過時間と前記第５経過時間の合計時間に対応した前記リフレッシュ動作とが同一であることを特徴とする画像形成装置。
【請求項２２】
請求項１に記載の画像形成装置において、カラ−画像を記録するかモノクロ画像を記録するかを設定する手段を備え、前記低消費電力状態中の前記リフレッシュ動作として、カラ−画像を記録する設定のときには前記ノズルを有する複数のヘッド全部のリフレッシュ動作を行い、モノクロ画像を記録する設定のときには黒インク滴を吐出する黒インクヘッドのみのリフレッシュ動作を行うことを特徴とする画像形成装置。
【請求項２３】
請求項１に記載の画像形成装置において、カラ−画像を記録するかモノクロ画像を記録するかを設定する手段を備え、低消費電力状態からの復帰後のインクジェット記録部のリフレッシュ動作として、カラ−画像を形成する設定のときには前記ノズルを有する複数のヘッド全部のリフレッシュ動作を行い、モノクロ画像を形成する設定のときには黒インク滴を吐出するノズルを有する黒インクヘッドのみのリフレッシュ動作を行うことを特徴とする画像形成装置。
【請求項２４】
請求項２２〜２３のいずれか１項に記載の画像形成装置において、モノクロ画像を記録する設定からカラ−画像を記録する設定へ変更したときに自動的に前記ノズルを有する複数のヘッド全部のリフレッシュ動作を行う手段を有することを特徴とする画像形成装置。
【請求項２５】
請求項２４に記載の画像形成装置において、全開の前記複数のヘッドのリフレッシュ動作からの経過時間を計測する第６計時手段を備え、モノクロ画像を記録する設定からカラ−画像を記録する設定へ変更したときに実施する前記ヘッドのリフレッシュ動作が、前記第６計時手段が計測した第６経過時間の長さによって異なることを特徴とする画像形成装置。
【請求項２６】
請求項２２に記載の画像形成装置において、カラ−画像を記録するかモノクロ画像を記録するかを設定する手段を備え、前記低消費電力状態中の前記リフレッシュ動作として、モノクロ画像を記録する設定のときに、前記黒インクヘッドのみのリフレッシュ動作を行うか前記ヘッド全部のリフレッシュ動作を行うかを予め設定する手段を有することを特徴とする画像形成装置。
【請求項２７】
請求項２３に記載の画像形成装置において、カラ−画像を記録するかモノクロ画像を記録するかを設定する手段と、前記低消費電力状態からの復帰後の前記リフレッシュ動作として、モノクロ画像を記録する設定のときに、前記黒インクヘッドのみのリフレッシュ動作を行うか前記ヘッド全部のリフレッシュ動作を行うかを予め設定する手段とを有することを特徴とする画像形成装置。
【請求項２８】
請求項１〜２７のいずれか１項に記載の画像形成装置において、原稿画像を読み取る画像読み取り手段を備え、原稿複写機能を有することを特徴とする画像形成装置。
【請求項２９】
請求項１〜２７のいずれか１項に記載の画像形成装置において、情報処理端末からの画像形成要求を受け取る要求受信手段を有することを特徴とする画像形成装置。
【請求項３０】
請求項１〜２７のいずれか１項に記載の画像形成装置において、原稿画像を読み取る画像読み取り手段と、外部からの呼出信号を検出する呼出信号検出手段と、外部と画像情報の送受信を行うファクシミリ通信手段とを有することを特徴とする画像形成装置。
【発明の詳細な説明】
【０００１】
【発明の属する技術分野】
本発明はインクジェット記録部を有するプリンタ、複写機、ファクシミリ等の画像形成装置に関する。
【０００２】
【従来の技術】
特許文献１記載のインクジェット記録装置は、プリンタ機構部が動作モ−ドになってからの経過時間を計測する第１計時手段と、この第１計時手段が予め設定された第１経過時間を経過したときにスリープモードに移行するモ−ド切換部とを具備し、スリープモードでもインクジェットヘッドのリフレッシュ動作を実行できるようにしたもので、スリープ状態からすぐに高品質の印字をすることが可能である。また、スリープモードから抜けてリフレッシュ動作を行い、次に印字を行う際も、印字起動がかかる直前までインクジェットヘッドのリフレッシュに必要な最低の機構部以外は通電を行っていないので、効果的に節電が可能である。
【０００３】
特許文献２には、待機状態が一定時間継続した場合に消費電力を低減する省エネルギーモードに移行する機能を有し、該省エネルギーモードに移行した場合には制御回路の一部への電力供給を停止する手段を備えた電子写真方式の画像形成装置において、トナー画像を転写紙に定着させるための定着部の動作を制御する複数の定着制御手段と、前記省エネルギーモードから通常動作モードへの復帰時と通常動作とで前記定着部の制御に用いる定着制御手段を切り替える定着制御切替手段とを設けたことを特徴とする画像形成装置が記載されている。
【０００４】
【特許文献１】
特開平１０−１９３６２８号公報
【特許文献２】
特開２００２―２６８４４１
【０００５】
【発明が解決しようとする課題】
上記特許文献１記載のインクジェット記録装置においては、プリンタ機構部が動作モードになってからの経過時間を計測する第１計時手段と、この第１計時手段が予め設定された第１経過時間を経過したときにスリープモードに移行するモード切換部とを具備し、このスリープモードでもインクジェットヘッドのリフレッシュ動作を実行できるようにしたので、スリープ状態からすぐに高品質の印字をすることが可能で、また、スリープモードから抜けてインクジェットヘッドのリフレッシュを行い、次に印字を行う際も、印字起動がかかる直前までインクジェットヘッドのリフレッシュに必要な最低の機構部以外は通電を行わないようにしている。
【０００６】
しかしながら、スリープモードから抜けた後に印字起動がかかると、良好な印字品質を保持するために、印刷に先立って本格的なリフレッシュ動作を実施する。従って、スリープモードから抜けた後に印字動作が始まるまでに時間がかかってしまい、早く印字作業を行いたくてもそれができない。また、インクジェットヘッドのリフレッシュ動作が行われてからスリープモードが解除されるまでの時間に拘わらず、スリープモード解除後の動作は一律であり、印字開始までの時間やリフレッシュ動作に使用するインクを無駄に消費する場合が考えられる。また、スリープモード中にインクジェットヘッドのリフレッシュを行うか否かの選択や、スリープモード中のリフレッシュの間隔を時間帯によって変更する選択ができない。
【０００７】
本発明は、上記の問題を解決し、良好な記録品質を保持しながら、低消費電力状態を抜けてから記録動作を開始するまでの時間を短縮でき、記録開始までの時間やリフレッシュ動作に使用するインクの消費を削減したり、インクの節約のために低消費電力状態ではリフレッシュを行わない選択や時間帯によってリフレシュ間隔を変更する選択も可能になり、便利で使い勝手のよい画像形成装置を提供することを目的とする。
【０００８】
【課題を解決するための手段】
上記目的を達成するため、請求項１に係る発明は、インク滴を吐出して記録を行う複数のノズルを有するインクジェット記録部と、当該装置がスタンバイ状態に移行してからの経過時間を計測する第１計時手段と、この第１計時手段が予め設定された第１経過時間を計測したときに当該装置を低消費電力状態へ移行させる手段と、当該装置が低消費電力状態になってからの経過時間を計測する第２計時手段と、この第２計時手段が予め設定された第２経過時間を計測する毎に前記インクジェット記録部をリフレッシュさせるリフレッシュ動作を実行する手段と、低消費電力状態の解除要求を検出して当該装置の低消費電力状態を解除する手段とを備え、前記低消費電力状態解除後の前記リフレッシュ動作を簡略化し、前記低消費電力状態の解除後短時間で記録可能な状態にする画像形成装置であって、前記リフレッシュ動作から前記低消費電力状態が解除されるまでの第３経過時間を計測する第３計時手段を備え、前記低消費電力状態解除後の前記リフレッシュ動作が前記第３経過時間の長さによって異なるものである。
【０００９】
請求項２に係る発明は、請求項１に記載の画像形成装置において、前記低消費電力状態時に予め設定された前記第２経過時間毎に前記リフレッシュ動作を行うか否かを操作者に選択させる手段を有するものである。
【００１０】
請求項３に係る発明は、請求項２に記載の画像形成装置において、前記低消費電力状態時に予め設定された前記第２経過時間毎に前記リフレッシュ動作を行うか否かを操作者に時間帯によって設定させる手段を有するものである。
【００１１】
請求項４に係る発明は、請求項１記載の画像形成装置において、前記第２経過時間の長さを操作者に設定させる手段を有するものである。
【００１２】
請求項５に係る発明は、請求項４に記載の画像形成装置において、前記第２経過時間の長さの設定を時間帯によって変える手段を有するものである。
【００１３】
請求項６に係る発明は、請求項２〜５のいずれか１項に記載の画像形成装置において、低消費電力状態時の前記リフレッシュ動作に関する設定が不特定多数の人によって行われることを防ぐ手段を有するものである。
【００１４】
請求項７に係る発明は、請求項６に記載の画像形成装置において、操作者により予め登録された暗証番号によって操作者を特定し、前記低消費電力状態時の前記リフレッシュ動作に関する設定を許可する手段を有するものである。
【００１５】
請求項８に係る発明は、請求項１〜７のいずれか１項に記載の画像形成装置において、当該装置に情報処理端末を接続する手段を備え、前記低消費電力状態時の前記リフレッシュ動作に関する設定を、当該装置に接続された情報処理端末から行えるものである。
【００１６】
請求項９に係る発明は、請求項１〜７のいずれか１項に記載の画像形成装置において、当該装置をネットワ−クに接続する手段を備え、前記低消費電力状態時の前記リフレッシュ動作に関する設定を、前記ネットワ−クに接続された情報処理端末から行えるものである。
【００１７】
請求項１０に係る発明は、請求項１〜７のいずれか１項に記載の画像形成装置において、当該装置を電話回線に接続する手段を備え、前記低消費電力状態時の前記リフレッシュ動作に関する設定を、前記電話回線に接続された電話端末から行えるものである。
【００１８】
請求項１１に係る発明は、請求項１〜７のいずれか１項に記載の画像形成装置において、当該装置と無線通信を行うためのインタ−フェ−ス手段を備え、前記低消費電力状態時の前記リフレッシュ動作に関する設定を、無線通信手段により行えるものである。
【００１９】
請求項１２に係る発明は、請求項１に記載の画像形成装置において、前記低消費電力状態時に前記リフレッシュ動作を行う際、前記リフレッシュ動作を開始する旨を表示する手段を有するものである。
【００２０】
請求項１３に係る発明は、請求項１に記載の画像形成装置において、低消費電力状態時に前記リフレッシュ動作を行う際、前記リフレッシュ動作を開始する旨を音声で出力する手段を有するものである。
【００２１】
請求項１４に係る発明は、請求項１に記載の画像形成装置において、前記低消費電力状態時に、前記リフレッシュ動作を行った後、再度前記低消費電力状態に戻る際、再度前記低消費電力状態になることを表示する手段を有するものである。
【００２２】
請求項１５に係る発明は、請求項１に記載の画像形成装置において、前記低消費電力状態時に、前記リフレッシュ動作を行った後、再度前記低消費電力状態に戻る際、再度前記低消費電力状態になることを音声で出力する手段を有するものである。
【００２３】
請求項１６に係る発明は、請求項１に記載の画像形成装置において、前記低消費電力状態時に、前記リフレッシュ動作を行った後、再度前記低消費電力状態に戻る際、この後前記低消費電力状態が続いた場合に前記リフレッシュ動作が実施される次回の予定時刻を表示する手段を有するものである。
【００２４】
請求項１７に係る発明は、請求項１に記載の画像形成装置において、前記低消費電力状態時に、前記リフレッシュ動作を行った後、再度前記低消費電力状態に戻る際、この後前記低消費電力状態が続いた場合に前記リフレッシュ動作が実施される次回の予定時刻を音声で出力する手段を有するものである。
【００２５】
請求項１８に係る発明は、請求項１に記載の画像形成装置において、周囲の明るさを検出する検出手段と、前記低消費電力状態時に予め設定された前記第２経過時間毎に前記リフレッシュ動作を行うか否かを、前記検出手段で検出した周囲の明るさによって自動的に決定する手段とを有するものである。
【００２６】
請求項１９に係る発明は、請求項１に記載の画像形成装置において、周囲の音量を検出する検出手段と、前記低消費電力状態時に予め設定された前記第２経過時間毎に前記リフレッシュ動作を行うか否かを、前記検出手段で検出した周囲の音量によって自動的に決定する手段とを有するものである。
【００２７】
請求項２０に係る発明は、インク滴を吐出して記録を行う複数のノズルを有するインクジェット記録部と、電源オン時に前記インクジェット記録部をリフレッシュさせるリフレッシュ動作を行う手段とを備えた画像形成装置であって、記録動作または前記リフレッシュ動作から電源オフ状態になるまでの経過時間を計測する第４計時手段と、電源オフ状態になってからの経過時間を計測する第５計時手段とを備え、前記第４計時手段が計測した第４経過時間と前記第５計時手段が計測した第５経過時間との合計時間によって電源オンによる再起動時の前記リフレッシュ動作が異なるものである。
【００２８】
請求項２１に係る発明は、請求項１または２０に記載の画像形成装置において、当該装置が低消費電力状態から復帰した後の、前記第３計時手段が計測した前記第３経過時間に対応した前記リフレッシュ動作と、電源オンによる再起動時の前記第４経過時間と前記第５経過時間の合計時間に対応した前記リフレッシュ動作とが同一であるものである。
【００２９】
請求項２２に係る発明は、請求項１に記載の画像形成装置において、カラ−画像を記録するかモノクロ画像を記録するかを設定する手段を備え、前記低消費電力状態中の前記リフレッシュ動作として、カラ−画像を記録する設定のときには前記ノズルを有する複数のヘッド全部のリフレッシュ動作を行い、モノクロ画像を記録する設定のときには黒インク滴を吐出する黒インクヘッドのみのリフレッシュ動作を行うものである。
【００３０】
請求項２３に係る発明は、請求項１に記載の画像形成装置において、カラ−画像を記録するかモノクロ画像を記録するかを設定する手段を備え、低消費電力状態からの復帰後のインクジェット記録部のリフレッシュ動作として、カラ−画像を形成する設定のときには前記ノズルを有する複数のヘッド全部のリフレッシュ動作を行い、モノクロ画像を形成する設定のときには黒インク滴を吐出するノズルを有する黒インクヘッドのみのリフレッシュ動作を行うものである。
【００３１】
請求項２４に係る発明は、請求項２２〜２３のいずれか１項に記載の画像形成装置において、モノクロ画像を記録する設定からカラ−画像を記録する設定へ変更したときに自動的に前記ノズルを有する複数のヘッド全部のリフレッシュ動作を行う手段を有するものである。
【００３２】
請求項２５に係る発明は、請求項２４に記載の画像形成装置において、全開の前記複数のヘッドのリフレッシュ動作からの経過時間を計測する第６計時手段を備え、モノクロ画像を記録する設定からカラ−画像を記録する設定へ変更したときに実施する前記ヘッドのリフレッシュ動作が、前記第６計時手段が計測した第６経過時間の長さによって異なるものである。
【００３３】
請求項２６に係る発明は、請求項２２に記載の画像形成装置において、カラ−画像を記録するかモノクロ画像を記録するかを設定する手段を備え、前記低消費電力状態中の前記リフレッシュ動作として、モノクロ画像を記録する設定のときに、前記黒インクヘッドのみのリフレッシュ動作を行うか前記ヘッド全部のリフレッシュ動作を行うかを予め設定する手段を有するものである。
【００３４】
請求項２７に係る発明は、請求項２３記載の画像形成装置において、カラ−画像を記録するかモノクロ画像を記録するかを設定する手段と、前記低消費電力状態からの復帰後の前記リフレッシュ動作として、モノクロ画像を記録する設定のときに、前記黒インクヘッドのみのリフレッシュ動作を行うか前記ヘッド全部のリフレッシュ動作を行うかを予め設定する手段とを有するものである。
【００３５】
請求項２８に係る発明は、請求項１〜２７のいずれか１項に記載の画像形成装置において、原稿画像を読み取る画像読み取り手段を備え、原稿複写機能を有するものである。
【００３６】
請求項２９に係る発明は、請求項１〜２７のいずれか１項に記載の画像形成装置において、情報処理端末からの画像形成要求を受け取る要求受信手段を有するものである。
【００３７】
請求項３０に係る発明は、請求項１〜２７のいずれか１項に記載の画像形成装置において、原稿画像を読み取る画像読み取り手段と、外部からの呼出信号を検出する呼出信号検出手段と、外部と画像情報の送受信を行うファクシミリ通信手段とを有するものである。
【００３８】
【発明の実施の形態】
図１は、本発明の一実施形態である画像形成装置のブロック構成を示す。この画像形成装置３０において、システム制御部１は、ＣＰＵ等から構成され、画像形成装置３０の各部を制御して所定の動作を実行させる。消費電力制御部２は、画像形成装置３０のスタンバイ状態（待機状態）が所定の時間以上続いたときに、画像形成装置３０の各部への供給電力を制御して画像形成装置３０を低消費電力状態にするとともに、低消費電力状態の解除を要求されると、画像形成装置３０の各部への供給電力を制御して画像形成装置３０の低消費電力状態を解除して画像形成装置３０を通常のスタンバイ状態に戻す。
【００３９】
ＲＯＭ３は、画像形成装置３０が動作するための基本プログラムが予め格納されている。ＲＡＭ４は、画像形成装置３０に固有な各種の情報を記憶したり、画像情報を記憶したり、インクジェット記録部１５のリフレッシュ動作に関する設定を記憶する。第１計時手段５は、システム制御部１により制御され、画像形成装置３０がスタンバイ状態になってからの経過時間を計測する。第２計時手段６は、システム制御部１により制御され、画像形成装置３０が低消費電力状態になった後の経過時間を計測する。
【００４０】
第３計時手段７は、システム制御部１により制御され、インクジェット記録部１５のリフレッシュ動作が終了してから低消費電力状態が解除されるまでの時間を計測する。第４計時手段８は、システム制御部１により制御され、インクジェット記録部１５の記録動作またはインクジェット記録部１５のリフレッシュ動作が終了してから電源オフ状態になるまでの経過時間を計測する。第５計時手段９は、システム制御部１により制御され、電源オフ状態になってからの経過時間を計測する。第６計時手段３９は、システム制御部１により制御され、インクジェット記録部１５の全てのヘッドのリフレッシュが実施されてからの経過時間を計測する。
【００４１】
時計１０は、システム制御部１へ時刻情報を伝える。電池１１は、電源オフ時にＲＡＭ４や第４計時手段８、第５計時手段９、第６計時手段３９、時計１０へバックアップ電源を供給する。画像形成要求受信部１２は情報処理端末３２，３４からの画像形成要求および画像デ−タを受け取る。周囲照度検出部１３は、画像形成装置３０の周囲の明るさを検出してシステム制御部１へ伝える。周囲音量検出部１４は、画像形成装置３０の周囲の音量を検出してシステム制御部１へ伝える。
【００４２】
インクジェット記録部１５は、インク滴を吐出するノズルを有したヘッド１６〜１９を備え、これらのヘッド１６〜１９のノズルから記録紙へインク滴を吐出して画像記録を行う。Ｋヘッド１６は黒色インク滴を記録紙へ吐出し、Ｙヘッド１７は黄色（イエロ−）インク滴を記録紙へ吐出し、Ｍヘッド１８は赤色（マゼンタ）インク滴を記録紙へ吐出し、Ｃヘッド１９は青色（シアン）インク滴を記録紙へ吐出する。
【００４３】
画像読取部２０は、原稿の画像を読み取って画像情報を出力する。操作部２１は、各種操作キ−を備え、操作者が各種操作や各種設定を行うものである。表示部２２は、画像形成装置３０の設定状態や動作状態、操作者への注意事項を表示する。音声出力部２３は、画像形成装置３０の設定状態や動作状態、操作者への注意事項を音声で出力する。
【００４４】
情報処理端末Ｉ／Ｆ部２４は、画像形成装置３０を情報処理端末３２と接続するためのもので、ＵＳＢインタ−フェスやセントロニクスインタ−フェ−スなどが用いられる。画像形成装置３０は情報処理端末Ｉ／Ｆ部２４により情報処理端末３２と情報のやりとりを行う。ネットワ−クＩ／Ｆ部２５は画像形成装置３０をロ−カルエリアネットワ−ク（ＬＡＮ）等のネットワ−ク３３に接続するためのものであり、画像形成装置３０はネットワ−クＩ／Ｆ部２５によりネットワ−ク３３を介して情報処理端末３４と情報のやりとりを行う。
【００４５】
モデム２６は、画像情報を変復調して電話端末３６と電話回線３５を介して送受信するとともに、伝送制御手順における各種制御信号を送受信し、電話回線３５からのＤＴＭＦ信号を検出する。電話回線Ｉ／Ｆ部２７は、電話回線３５からの呼出信号検出や電話回線３５の閉結制御を行う。無線Ｉ／Ｆ部２８は無線通信内蔵端末３８と無線通信を行うためのものであり、画像形成装置３０は無線Ｉ／Ｆ部２８により無線通信内蔵端末３８と情報のやりとりを行う。
【００４６】
画像形成装置３０における各ブロック間のデ−タのやりとりは主としてシステムバス２９を介して行われる。通信ケ−ブル３１は、ＵＳＢケ−ブルやセントロニクスケ−ブル等である。情報処理端末３２は、通信ケ−ブル３１により画像形成装置３０に接続され、画像形成装置３０に対して画像形成要求や画像データの送出を行う。また、情報処理端末３２から画像形成装置３０の各種設定を行うことができる。
【００４７】
ＬＡＮ等のネットワ−ク３３に接続された情報処理端末３４は、ネットワ−ク３３を介して画像形成装置３０に画像形成要求や画像データの送出を行う。また、情報処理端末３４から画像形成装置３０の各種設定が行える。電話端末３６は、電話回線３５を介して画像形成装置３０とファクシミリ送受信を行う。また、電話端末３６から電話回線３５を介して画像形成装置３０に特定のＤＴＭＦ信号を出力することにより画像形成装置３０の各種設定が行える。
【００４８】
無線通信手段３７は、赤外線やＢｌｕｅｔｏｏｔｈ、携帯電話網等である。無線通信内蔵端末３８は、Ｂｌｕｅｔｏｏｔｈや赤外線等の無線通信手段を内蔵した携帯電話機や情報処理端末等である。この無線通信内蔵端末３８から無線通信手段３７を介して画像形成装置３０の各種設定が行える。
【００４９】
次に、この画像形成装置の動作を説明する。
インクジェット記録部１５のリフレッシュ動作に関連した各種設定は、操作者の操作部２１からの設定、情報処理端末３２からの設定、ネットワ−ク３３を介して接続された情報処理端末３４からの設定、電話端末３６からの設定、無線通信内蔵端末３８からの設定のいずれかにより予め行われ、その設定内容は、システム制御部１により、操作部２１からＲＡＭ４に格納され、または情報処理端末３２から情報処理端末Ｉ／Ｆ部２４を介してＲＡＭ４に格納され、または情報処理端末３４からネットワ−ク３３、ネットワ−クＩ／Ｆ部２５を介してＲＡＭ４に格納され、または電話端末３６から電話回線Ｉ／Ｆ部２７、モデム２６を介してＲＡＭ４に格納され、または無線通信内蔵端末３８から無線通信手段３７、無線Ｉ／Ｆ部２８を介してＲＡＭ４に格納される。インクジェット記録部１５のリフレッシュ動作に関連した各種設定としては、低消費電力状態時に予め設定された第２経過時間毎にリフレッシュ動作を行うか否かを操作者が選択する設定、低消費電力状態時に予め設定された第２経過時間毎にリフレッシュ動作を行うか否かを操作者が時間帯によって決める設定、第２経過時間の長さを操作者が決める設定、第２経過時間の長さを時間帯によって変える設定、カラ−画像を記録するかモノクロ画像を記録するかを決める設定などがある。
【００５０】
図６に示すように、画像形成装置３０（システム制御部１）は、ステップ１０１で、操作部２１、情報処理端末３２、情報処理端末３４、電話端末３６、無線通信内蔵端末３８からリフレッシュ動作の設定変更要求があるか否かをチェックしてリフレッシュ動作の設定変更要求があると、操作部２１、情報処理端末３２、情報処理端末３４、電話端末３６、無線通信内蔵端末３８に暗証番号の入力を要求する。システム制御部１は、ステップ１０２で、操作部２１、情報処理端末３２、情報処理端末３４、電話端末３６、無線通信内蔵端末３８から入力された暗証番号が予め操作者によりＲＡＭ４に登録されている暗証番号と一致しているかを確認することで操作者を確認し、入力された暗証番号が予めＲＡＭ４に登録されている暗証番号と一致すると、ステップ１０３で、設定変更を許可して設定変更可能状態にし、ステップ１０４で設定変更操作が終了すると設定変更処理を終了する。
【００５１】
図５に示すように、システム制御部１は、ステップ１１１でスタンバイ状態に移行してからステップ１１２で第１計時手段５が計測した時間が第１経過時間を経過したか否かをチェックし、第１計時手段５の計測時間が第１経過時間を経過すると、ステップ１１３で消費電力制御部２に画像形成装置３０を低消費電力状態に移行させる。このとき、消費電力制御部２は、画像形成装置３０の各部への電力供給を制御し、画像形成装置３０を低消費電力状態にする。
【００５２】
システム制御部１は、ステップ１１４で、低消費電力状態中に、画像読取部２０に原稿がセットされたことを検知するセンサからの信号により、画像読取部２０に原稿がセットされたことを検知したり、操作部２１上の復帰要求キ−が押されて復帰（低消費電力状態の解除）要求信号が入力されたり、情報処理端末３２からのプリント要求や設定変更要求があったり、ネットワ−ク３３に接続された情報処理端末３４からのプリント要求や設定変更要求があったり、電話回線３５からの呼出信号を検出したり、無線通信内蔵端末３８からのアクセス要求があると、ステップ１３０で消費電力制御部２に画像形成装置３０の低消費電力状態を解除させる。このとき、消費電力制御部２は、画像形成装置３０の各部への電力供給を通常の電力供給状態に制御し、画像形成装置３０の低消費電力状態を解除する。
【００５３】
システム制御部１は、画像形成装置３０の低消費電力状態が続いた場合、画像形成装置３０の低消費電力状態時に、ステップ１１５〜１１８で、リフレッシュ手段によりヘッド１６〜１９を拭く処理やヘッド１６〜１９のノズルからインクを吸引する処理でインクジェット記録部１５をリフレッシュさせるリフレッシュ動作を行うか否か、現在の時間帯がリフレッシュ動作を行う時間帯であるか否か、現在の時間帯でのリフレッシュ動作間隔時間（第２経過時間）が経過したか否か、画像形成装置３０の周囲の明るさがリフレッシュ動作実施条件のスレッシュレベル以上であるか否か、画像形成装置３０の周囲の音量がリフレッシュ動作実施条件のスレッシュレベル以上であるか否かなどの判定を、ＲＡＭ４、第２計時手段６、時計１０、周囲照度検出部１３、周囲音量検出部１４からの情報により行う。
【００５４】
すなわち、システム制御部１は、ステップ１１５でＲＡＭ４、第２計時手段６、時計１０からの情報によりリフレッシュ動作を行うか否か、現在の時間帯がリフレッシュ動作を行う時間帯であるか否かを判定する。ここに、ＲＡＭ４には、画像形成装置３０が低消費電力状態になってからリフレッシュ動作を実施するまでの第２経過時間と時間帯との関係が格納されており、その一例を図２に示す。
【００５５】
システム制御部１は、ステップ１１６でＲＡＭ４、第２計時手段６、時計１０からの情報により現在の時間帯でのリフレッシュ間隔時間（第２経過時間）が経過したか否かを判定し、ステップ１１７で周囲照度検出部１３からの情報により画像形成装置３０の周囲の明るさがリフレッシュ動作実施条件のスレッシュレベル以上であるか否かを判定し、ステップ１１８で周囲音量検出部１４からの情報により画像形成装置３０の周囲の音量がリフレッシュ動作実施条件のスレッシュレベル以上であるか否かを判定するなどの判定を行う。
【００５６】
システム制御部１は、リフレッシュ開始の判定をすると、つまり、リフレッシュ動作を行い、現在の時間帯がリフレッシュ動作を行う時間帯であり、現在の時間帯でのリフレッシュ間隔時間（第２経過時間）が経過し、画像形成装置３０の周囲の明るさがリフレッシュ動作実施条件のスレッシュレベル以上であり、画像形成装置３０の周囲の音量がリフレッシュ動作実施条件のスレッシュレベル以上であるなどの条件が成立すると、ステップ１１９で消費電力制御部２に画像形成装置３０の低消費電力状態を解除させる。このとき、消費電力制御部２は、画像形成装置３０の各部への電力供給を通常の電力供給状態に制御し、画像形成装置３０の低消費電力状態を解除する。さらに、システム制御部１は、ステップ１２０でリフレッシュ動作を開始することを表示部２２に表示させ、ステップ１２１でリフレッシュ動作を開始することを音声出力部２３に音声で出力させ、ステップ１２２で上記リフレッシュ手段にインクジェット記録部１５をリフレッシュさせるリフレッシュ動作を開始させる。
【００５７】
システム制御部１は、ステップ１２３で画像形成装置３０の設定がカラ−画像形成モ−ド（インクジェット記録部１５によりカラ−画像を記録するモード）であるかモノクロ画像形成モ−ド（インクジェット記録部１５によりモノクロ画像（ここでは黒色画像）を記録するモード）であるかを判断し、画像形成装置３０の設定がカラ−画像形成モ−ドあれば、ステップ１２４で上記リフレッシュ手段にＫヘッド１６、Ｙヘッド１７、Ｍヘッド１８及びＣヘッド１９の全ヘッドのリフレッシュを行わせる。
【００５８】
システム制御部１は、画像形成装置３０の設定がモノクロ画像形成モ−ドであれば、ステップ１２５で全ヘッド１６〜１９のリフレッシュを行う設定かどうかをＲＡＭ４内の設定から確認する。この設定は、上述のように操作部２１、情報処理端末３２、情報処理端末３４、電話端末３６、無線通信内蔵端末３８から行われる。システム制御部１は、全ヘッド１６〜１９のリフレッシュを行う設定がなされていると、ステップ１２４で上記リフレッシュ手段にＫヘッド１６、Ｙヘッド１７、Ｍヘッド１８及びＣヘッド１９の全ヘッドのリフレッシュを行わせる。システム制御部１は、全ヘッド１６〜１９のリフレッシュを行う設定がなされていなければ、ステップ１２６で上記リフレッシュ手段にＫヘッド１６のみのリフレッシュを行わせる。
【００５９】
システム制御部１は、ステップ１２７でリフレッシュ動作が終了すると、ステップ１２８、ステップ１２９で再度低消費電力状態になることと低消費電力状態が続いた場合の次回リフレッシュ動作の予定時刻を、表示部２２に表示させるとともに音声出力部２３から音声で出力させ、ステップ１１３に戻って再び低消費電力状態に移行させる。
【００６０】
システム制御部１は、上述のように低消費電力状態中にステップ１１４で低消費電力状態の解除要求があると、ステップ１３０で消費電力制御部２に画像形成装置３０各部への電力供給制御を行わせて画像形成装置３０の低消費電力状態を解除させる。インクジェット記録部１５のリフレッシュ動作が終了してから低消費電力状態を解除するまでの第３経過時間の長さが第３計時手段７により計測されており、システム制御部１はステップ１３１でその第３経過時間の長さによって、低消費電力状態解除後のリフレッシュ動作の種類を決定して上記リフレッシュ手段にその決定したリフレッシュ動作を行わせる。システム制御部１は、第３計時手段７、ＲＡＭ４からの情報により、第３経過時間が短ければ短いほどリフレッシュ動作をより簡易とし、第３経過時間が長ければ長いほどリフレッシュ動作をより本格的なものにする。第３経過時間の長さと複数種類のリフレッシュ動作Ａ〜Ｅとの関係はＲＡＭ４に格納されており、その一例を図３に示す。
【００６１】
また、システム制御部１は、ステップ１３２で画像形成装置３０の設定がカラ−画像形成モ−ドであるかモノクロ画像形成モ−ドであるかを判断し、画像形成装置３０の設定がカラ−画像形成モ−ドあれば、ステップ１３５で上記リフレッシュ手段にＫヘッド１６、Ｙヘッド１７、Ｍヘッド１８及びＣヘッド１９の全ヘッドのリフレッシュを行わせる。
【００６２】
システム制御部１は、画像形成装置３０の設定がモノクロ画像形成モ−ドであれば、ステップ１３３で全ヘッド１６〜１９のリフレッシュを行う設定かどうかをＲＡＭ４内の設定から確認する。システム制御部１は、全ヘッド１６〜１９のリフレッシュを行う設定がなされていると、ステップ１３５で上記リフレッシュ手段にＫヘッド１６、Ｙヘッド１７、Ｍヘッド１８及びＣヘッド１９の全ヘッドのリフレッシュを行わせる。システム制御部１は、全ヘッド１６〜１９のリフレッシュを行う設定がなされていなければ、ステップ１３４で上記リフレッシュ手段にＫヘッド１６のみのリフレッシュを行わせる。
【００６３】
システム制御部１は、ステップ１３６でリフレッシュ動作が終了すると、ステップ１３７で操作部２１や画像形成要求受信部１２からの画像形成要求（印字出力の要求）の有無をチェックし、画像形成要求（印字出力の要求）があればステップ１３８でインクジェット記録部１５に画像読取部２０や画像形成要求受信部１２などからの画像データによる画像記録（印字出力処理）を行わせ、ステップ１３９で画像記録（印字出力処理）を終了する。ここに、画像形成要求受信部１２は情報処理端末３２，３４からの画像形成要求および画像デ−タを受け取る。インクジェット記録部１５は、モノクロ画像形成モ−ドであればＫヘッド１６により黒色インク滴を記録紙へ吐出して黒色の画像記録を行い、カラ−画像形成モ−ドであればＫヘッド１６、Ｙヘッド１７、Ｍヘッド１８、Ｃヘッド１９により黒色インク滴、黄色（イエロ−）インク滴、赤色（マゼンタ）インク滴、青色（シアン）インク滴を記録紙へ吐出して黒色の画像記録、黄色の画像記録、赤色の画像記録、青色の画像記録を重ねて行うことによりカラ−画像を記録する。
【００６４】
システム制御部１は、複写モードで操作部２１からの画像形成要求があれば画像読取部２０に原稿画像を読み取らせ、インクジェット記録部１５に画像読取部２０からの画像データによる画像記録（印字出力処理）を行わせて原稿画像を複写させる。システム制御部１は、プリンタモードで画像形成要求受信部１２が情報処理端末３２，３４からの画像形成要求および画像デ−タを受け取って画像形成要求受信部１２からの画像形成要求（印字出力の要求）があれば画像形成要求受信部１２からの画像データによる画像記録（印字出力処理）を行わせる。電話端末３６、無線通信内蔵端末３８による記録要求（印字出力の要求）はＲＡＭ４に格納され、システム制御部１は電話端末３６、無線通信内蔵端末３８による記録要求（印字出力の要求）があるか否かをＲＡＭ４の内容からチェックして記録要求（印字出力の要求）があればインクジェット記録部１５に電話端末３６、無線通信内蔵端末３８からの画像データによる画像記録（印字出力処理）を行わせる。
【００６５】
図７に示すように、システム制御部１は、ステップ１４１で画像形成装置３０の電源がオンすると、ステップ１４２で上記リフレッシュ手段にインクジェット記録部１５のリフレッシュ動作を、第４計時手段８で計測した印字動作またはリフレッシュ動作が終了してから画像形成装置３０が電源オフ状態になるまでの第４経過時間と、第５計時手段９で計測した、画像形成装置３０が電源オフ状態になってからの第５経過時間との合計時間に対応して行わせる。
【００６６】
４計時手段８が計測した第４経過時間と第５計時手段９が計測した第５経過時間の合計時間と、画像形成装置３０の電源オンによる再起動時のリフレッシュ動作との関係はＲＡＭ４に格納されており、その一例を図４に示す。上記リフレッシュ手段は複数種類のリフレッシュ動作Ａ〜Ｅのうち第４経過時間と第５経過時間の合計時間に対応したリフレッシュ動作を実施する。
【００６７】
システム制御部１は、リフレッシュ動作実施後、ステップ１４３で上述のように画像形成要求（印字出力の要求）の有無をチェックし、画像形成要求（印字出力の要求）があればステップ１４４で上述のステップ１３８と同様にインクジェット記録部１５に画像記録（印字出力処理）を行わせる等の処理を行ってステップ１４５で画像記録（印字出力処理）を終了する。
【００６８】
図８に示すように、システム制御部１は、ステップ１５１でモノクロ画像形成モ−ドからカラ−画像形成モ−ドへの設定変更操作が行われたか否かをチェックし、モノクロ画像形成モ−ドからカラ−画像形成モ−ドへの設定変更操作が行われると、ステップ１５２で上記リフレッシュ手段にインクジェット記録部１５のＫヘッド１６、Ｙヘッド１７、Ｍヘッド１８及びＣヘッド１９の全ヘッドのリフレッシュ動作を、前回の全ヘッド１６〜１９のリフレッシュ動作からの経過時間を計測する第６計時手段３９の計測結果に対応させて行わせ、ステップ１５３でリフレッシュ動作を終了する。
【００６９】
この実施形態によれば、インクジェット記録部１５のリフレッシュ動作から画像形成装置３０の低消費電力状態を解除するまでの第３経過時間を計測する第３計時手段７を備え、低消費電力状態解除後のインクジェット記録部１５のリフレッシュ動作が、第３経過時間の長さによって異なるようにしているので、良質な記録品質を保持しながら、低消費電力状態の解除から記録可能状態となるまでの時間を短縮でき、低消費電力状態解除時のリフレッシュ動作に伴うインクの消費を削減することができる。
【００７０】
また、低消費電力状態時に予め設定された第２経過時間毎にインクジェット記録部１５のリフレッシュ動作を行うか否かを、操作者が操作部２１、情報処理端末３２、情報処理端末３４、電話端末３６、無線通信内蔵端末３８からの設定で選択できるようにしているので、低消費電力状態時にインクを消費させたくない操作者や、低消費電力状態解除後にすぐに記録可能状態にしたい操作者などの各々の要求に合致した選択が行えて便利である。
【００７１】
また、低消費電力状態時に予め設定された第２経過時間毎にインクジェット記録部１５のリフレッシュ動作を行うか否かを、操作者が操作部２１、情報処理端末３２、情報処理端末３４、電話端末３６、無線通信内蔵端末３８からの設定で時間帯によって設定できるようにしているので、時間帯に適した選択を行うことができ、頻繁に使用される時間帯には低消費電力解除から記録可能状態となるまでの時間を短縮でき、使用されない時間帯にはリフレッシュ動作に伴うインクの消費を抑えることができる。
【００７２】
また、第２経過時間の長さを操作者が操作部２１、情報処理端末３２、情報処理端末３４、電話端末３６、無線通信内蔵端末３８により設定できるようにしているので、低消費電力状態時にインクをあまり消費させたくない操作者や、低消費電力状態解除後にすぐに記録可能状態にしたい操作者などの各々の要求に合致した選択が行えて便利である。
【００７３】
また、第２経過時間の長さの設定を、操作部２１、情報処理端末３２、情報処理端末３４、電話端末３６、無線通信内蔵端末３８により時間帯によって変えることができるようにしているので、時間帯に適した選択を行うことができ、頻繁に使用される時間帯には低消費電力解除から記録可能状態となるまでの時間を短縮でき、使用されない時間帯にはリフレッシュ動作に伴うインクの消費を抑えることができる。
【００７４】
また、低消費電力状態時のインクジェット記録部１５のリフレッシュ動作に関する設定が、暗証番号の採用で、不特定多数の人によって行われることを防ぐようにしているので、操作者以外の人によって勝手に設定を変えられるようなことがなく便利である。
【００７５】
また、操作者により予め登録された暗証番号によって操作者を特定し、低消費電力状態時のインクジェット記録部１５のリフレッシュ動作に関する設定を許可するようにしているので、操作者以外の人によって勝手に設定を変えられるようなことがなく便利である。
【００７６】
また、情報処理端末３２を接続する手段２４を備え、低消費電力状態時のインクジェット記録部１５のリフレッシュ動作に関する設定が、画像形成装置３０に接続された情報処理端末３２から行えるようにしているので、画像形成装置を操作しなくても机上の情報処理端末への入力により簡単な操作で設定を行うことができて便利である
また、ネットワ−ク３３に接続する手段２５を備え、低消費電力状態時のインクジェット記録部１５のリフレッシュ動作に関する設定が、ネットワ−ク３３に接続された情報処理端末３４から行えるようにしているので、画像形成装置から離れたところからでも情報処理端末への入力により簡単な操作で設定を行うことができて便利である。
【００７７】
また、電話回線３５に接続する手段２７を備え、低消費電力状態時のインクジェット記録部１５のリフレッシュ動作に関する設定が、電話回線３５に接続された電話端末３６から行えるようにしているので、画像形成装置から離れたところからでも電話端末への入力により設定を行うことができて便利である。
【００７８】
また、無線通信のインタ−フェ−ス手段２８を備え、低消費電力状態時のインクジェット記録部１５のリフレッシュ動作に関する設定が、無線通信手段３８によって行えるようにしているので、画像形成装置から離れたところからでも無線通信手段を使って設定を行うことができて便利である。
【００７９】
また、低消費電力状態時にインクジェット記録部１５のリフレッシュ動作を行う際、インクジェット記録部１５のリフレッシュ動作を開始する旨を表示するようにしているので、突然のリフレッシュ動作で周囲の人を驚かせるようなことがなく、動作の状況が周囲の人に伝わり便利である。
【００８０】
また、低消費電力状態時にインクジェット記録部１５のリフレッシュ動作を行う際、インクジェット記録部１５のリフレッシュ動作を開始する旨を音声で出力するようにしているので、突然のリフレッシュ動作で周囲の人を驚かせるようなことがなく、動作の状況が周囲の人に伝わり便利である。
【００８１】
また、インクジェット記録部１５のリフレッシュ動作を行った後、再度低消費電力状態に戻る際、再度低消費電力状態になることを表示するようにしているので、動作しなくなったことに対し周囲の人が不安を感じることを防ぎ、動作の状況が周囲の人に伝わり便利である。
【００８２】
また、インクジェット記録部１５のリフレッシュ動作を行った後、再度低消費電力状態に戻る際、再度低消費電力状態になることを音声で出力するようにしているので、動作しなくなったことに対し周囲の人が不安を感じることを防ぎ、動作の状況が周囲の人に伝わり便利である。
【００８３】
また、インクジェット記録部１５のリフレッシュ動作を行った後、再度低消費電力状態に戻る際、この後低消費電力状態が続いた場合にリフレッシュ動作が実施される次回の予定時刻を表示するようにしているので、リフレッシュ動作の状況が周囲の人に伝わり便利である。
【００８４】
また、インクジェット記録部１５のリフレッシュ動作を行った後、再度低消費電力状態に戻る際、この後低消費電力状態が続いた場合にリフレッシュ動作が実施される次回の予定時刻を音声で出力するようにしているので、リフレッシュ動作の状況が周囲の人に伝わり便利である。
【００８５】
また、周囲の明るさを検出する手段１３を備え、低消費電力状態時に予め設定された第２経過時間毎にインクジェット記録部１５のリフレッシュ動作を行うか否かを、周囲の明るさによって自動的に決定するようにしているので、業務日や業務時間に適した判断が自動的に行われ、無駄なリフレッシュ動作が行われることを防ぐことができる。
【００８６】
また、周囲の音量を検出する手段１４を備え、低消費電力状態時に予め設定された第２経過時間毎にインクジェット記録部１５のリフレッシュ動作を行うか否かを、周囲の音量によって自動的に決定するようにしているので、業務日や業務時間に適した判断が自動的に行われ、無駄なリフレッシュ動作が行われることを防ぐことができる。
【００８７】
また、記録動作またはリフレッシュ動作から画像形成装置３０が電源オフになるまでの経過時間を計測する第４計時手段８と、画像形成装置３０が電源オフ状態になってからの経過時間を計測する第５計時手段９とを備え、第４計時手段８が計測した第４経過時間と第５計時手段９が計測した第５経過時間との合計時間によって、電源オンによる再起動時のインクジェット記録部１５のリフレッシュ動作が異なるようにしているので、良質な印字品質を保持しながら、電源オンから記録可能状態となるまでの時間を短縮でき、電源オン時のリフレッシュ動作に伴うインクの消費を削減することができる。
【００８８】
また、低消費電力状態から復帰した後の、第３計時手段７が計測した第３経過時間に対応したインクジェット記録部１５のリフレッシュ動作Ａ〜Ｅと、電源オンによる再起動時の第４経過時間と第５経過時間の合計時間に対応したインクジェット記録部のリフレッシュ動作Ａ〜Ｅとが同一であるようにしているので、メモリ４内のテ−ブル値の共通使用によりＲＯＭ３およびＲＡＭ４のメモリ容量を削減することができる。
【００８９】
また、カラ−画像を形成するかモノクロ画像を形成するかを設定できる手段２１、３２、３４、３６、３８を備え、低消費電力状態中のインクジェット記録部１５のリフレッシュ動作について、カラ−画像を形成する設定のときには全ヘッド１６〜１９のリフレッシュ動作を行い、モノクロ画像を形成する設定のときには黒インクヘッド１６のみのリフレッシュ動作を行うようにしているので、良質な記録品質を保持しながら、低消費電力状態の解除から記録可能状態となるまでの時間を短縮でき、低消費電力状態中のリフレッシュ動作に伴うインクの消費を削減することができる。
【００９０】
また、カラ−画像を形成するかモノクロ画像を形成するかを設定できる手段２１、３２、３４、３６、３８を備え、低消費電力状態からの復帰後のインクジェット記録部１５のリフレッシュ動作について、カラ−画像を形成する設定のときには全ヘッド１６〜１９のリフレッシュ動作を行い、モノクロ画像を形成する設定のときには黒インクヘッド１６のみのリフレッシュ動作を行うようにしているので、良質な記録品質を保持しながら、低消費電力状態の解除から記録可能状態となるまでの時間を短縮でき、低消費電力状態解除時のリフレッシュ動作に伴うインクの消費を削減することができる。
【００９１】
また、モノクロ画像を形成する設定からカラ−画像を形成する設定に変更すると、自動的にインクジェット記録部１５の全ヘッド１６〜１９のリフレッシュ動作を行うようにしているので、良質なカラ−画像記録品質を保持しながら、記録要求があった場合に記録可能状態になるまでの時間を短縮することができる。
【００９２】
また、前回の全ヘッド１６〜１９のリフレッシュ動作からの経過時間を計測する第６計時手段３９を備え、モノクロ画像を形成する設定からカラ−画像を形成する設定へ変更したときに実施するインクジェット記録部１５の全ヘッド１６〜１９のリフレッシュ動作が、第６計時手段３９が計測した第６経過時間の長さによって異なるようにしているので、モノクロ画像形成からカラ−画像形成への設定変更時のリフレッシュ動作に伴う、リフレッシュ動作時間とインクの消費を削減することができる。
【００９３】
また、カラ−画像を形成するかモノクロ画像を形成するかを設定できる手段２１、３２，３３、３６、３８を備え、低消費電力状態中のインクジェット記録部１５のリフレッシュ動作について、モノクロ画像を形成する設定のときに、黒インクヘッド１６のみのリフレッシュ動作を行うか全ヘッド１６〜１９のリフレッシュ動作を行うかを予め設定できるようにしているので、低消費電力状態中のリフレッシュ動作に伴うインクの消費を削減することができ、また、使用状況に適した選択が行えて便利である
また、カラ−画像を形成するかモノクロ画像を形成するかを設定できる手段２１、３２，３３、３６、３８を備え、低消費電力状態からの復帰後のインクジェット記録部１５のリフレッシュ動作について、モノクロ画像を形成する設定のときに、黒インクヘッド１６のみのリフレッシュ動作を行うか全ヘッド１６〜１９のリフレッシュ動作を行うかを予め設定できるようにしているので、良質な記録品質を保持しながら、低消費電力状態の解除から記録可能状態となるまでの時間を短縮でき、低消費電力状態解除時のリフレッシュ動作に伴うインクの消費を削減することができ、また使用状況に適した選択が行えて便利である。
【００９４】
また、画像読み取り手段２０を備え、原稿複写機能を有するようにしているので、良質な記録品質を保持しながら、低消費電力状態の解除から原稿複写可能状態となるまでの時間を短縮でき、低消費電力状態解除時のリフレッシュ動作に伴うインクの消費を削減することが可能な、インクジェット記録部１５を備えた複写機を構成できる。
【００９５】
また、情報処理端末３２，３４からの画像形成要求を受け取る要求受信手段１２を有するようにしているので、良質な記録品質を保持しながら、低消費電力状態の解除からプリント可能となるまでの時間を短縮でき、低消費電力状態解除時のリフレッシュ動作に伴うインクの消費を削減することが可能な、インクジェット記録部１５を備えたプリンタ装置を構成できる。
【００９６】
さらに、画像読み取り手段２０と、呼出信号検出手段２７と、ファクシミリ通信手段２６，２７とを有するようにしているので、良質な記録品質を保持しながら、低消費電力態の解除からファクシミリ受信画像が記録可能となるまでの時間を短縮でき、低消費電力状態解除時のリフレッシュ動作に伴うインクの消費を削減することが可能な、インクジェット記録部１５を備えたファクシミリ装置を構成できる。
【００９７】
【発明の効果】
以上のように本発明によれば、良質な記録品質を保持しながら、低消費電力状態の解除から記録可能状態となるまでの時間を短縮でき、低消費電力状態解除時のリフレッシュ動作に伴うインクの消費を削減することができる。また、低消費電力状態時にインクを消費させたくない操作者や、低消費電力状態解除後にすぐに記録可能状態にしたい操作者などの各々の要求に合致した選択が行えて便利である。
【００９８】
また、時間帯に適した選択を行うことができ、頻繁に使用される時間帯には低消費電力解除から記録可能状態となるまでの時間を短縮でき、使用されない時間帯にはリフレッシュ動作に伴うインクの消費を抑えることができる。また、操作者以外の人によって勝手に設定を変えられるようなことがなく便利である。また、画像形成装置を操作しなくても簡単な操作で設定を行うことができ、画像形成装置から離れたところからでも簡単な操作で設定を行うことができて便利である。
【００９９】
また、突然のリフレッシュ動作で周囲の人を驚かせるようなことがなく、動作の状況が周囲の人に伝わり便利である。また、動作しなくなったことに対し周囲の人が不安を感じることを防ぎ、動作の状況が周囲の人に伝わり便利である。また、リフレッシュ動作の状況が周囲の人に伝わり便利である。また、業務日や業務時間に適した判断が自動的に行われ、無駄なリフレッシュ動作が行われることを防ぐことができる。
【０１００】
また、良質な記録品質を保持しながら、電源オンから記録可能状態となるまでの時間を短縮でき、電源オン時のリフレッシュ動作に伴うインクの消費を削減することができる。また、メモリ容量を削減することができる。また、良質なカラ−画像記録品質を保持しながら、記録要求があった場合に記録可能状態になるまでの時間を短縮することができる。
【０１０１】
また、モノクロ画像形成からカラ−画像形成への設定変更時のリフレッシュ動作に伴う、リフレッシュ動作時間とインクの消費を削減することができる。また、低消費電力状態中のリフレッシュ動作に伴うインクの消費を削減することができ、また、使用状況に適した選択が行えて便利である。また、良質な記録品質を保持しながら、低消費電力状態の解除から原稿複写可能状態となるまでの時間を短縮でき、低消費電力状態解除時のリフレッシュ動作に伴うインクの消費を削減することが可能な、インクジェット記録部を備えた複写機を構成できる。
【０１０２】
また、良質な記録品質を保持しながら、低消費電力状態の解除からプリント可能となるまでの時間を短縮でき、低消費電力状態解除時のリフレッシュ動作に伴うインクの消費を削減することが可能な、インクジェット記録部を備えたプリンタ装置を構成できる。さらに、良質な記録品質を保持しながら、低消費電力態の解除からファクシミリ受信画像が記録可能となるまでの時間を短縮でき、低消費電力状態解除時のリフレッシュ動作に伴うインクの消費を削減することが可能な、インクジェット記録部を備えたファクシミリ装置を構成できる。
【図面の簡単な説明】
【図１】本発明の一実施形態を示すブロック図である。
【図２】同実施形態における第２経過時間と時間帯との関係の一例を示す図である。
【図３】同実施形態における第３経過時間の長さと複数種類のリフレッシュ動作Ａ〜Ｅとの関係の一例を示す図である。
【図４】同実施形態における第４経過時間と第５経過時間の合計時間と、電源オンによる再起動時のリフレッシュ動作との関係の一例を示す図である。
【図５】同実施形態の動作フローを示すフローチャートである。
【図６】同実施形態の他の動作フローを示すフローチャートである。
【図７】同実施形態の他の動作フローを示すフローチャートである。
【図８】同実施形態の他の動作フローを示すフローチャートである。
【符号の説明】
１      システム制御部
２      消費電力制御部
３      ＲＯＭ
４      ＲＡＭ
５      第１計時手段
６      第２計時手段
７      第３計時手段
８      第４計時手段
９      第５計時手段
１０      時計
１１      電池
１２      画像形成要求受信部
１３      周囲照度検出部
１４      周囲音量検出部
１５      インクジェット記録部
１６      Ｋヘッド
１７      Ｙヘッド
１８      Ｍヘッド
１９      Ｃヘッド
２０      画像読取部
２１      操作部
２２      表示部
２３      音声出力部
２４      情報処理端末Ｉ／Ｆ部
２５      ネットワ−クＩ／Ｆ部
２６      モデム
２７      電話回線Ｉ／Ｆ部
２８      無線Ｉ／Ｆ部
２９      システムバス
３０      画像形成装置
３１      通信ケーブル
３２      情報処理端末
３３      ネットワーク
３４      情報処理端末
３５      電話回線
３６      電話端末
３７      無線通信手段
３８      無線通信内蔵端末
３９      第６計時手段
【図１】
2005028720.tif 000003
【図２】
2005028720.tif 000004
【図３】
2005028720.tif 000005
【図４】
2005028720.tif 000006
【図５】
2005028720.tif 000007
【図６】
2005028720.tif 000008
【図７】
2005028720.tif 000009
【図８】
2005028720.tif 000010